(57)【特許請求の範囲】
【請求項１】
シート状の被取付面を有する本体と、被取付面に片持梁形状に切り込み形成される支持片と、支持片の引き起こしにより被取付面に形成される窓部とが備えられ、支持片が記録媒体と略々同一形状であるホルダーに対して、
開口部を有し内部に記録媒体が収納された扁平系の収納袋に前記支持片を挟入することにより、記録媒体を支持片に取り付け、記録媒体をその略々全体が窓部から表出するように窓部のきわに収納袋を介して填め込んで係止する記録媒体ホルダーの使用方法。
【請求項２】
請求項１に記載の記録媒体ホルダーの使用方法において、本体には、被取付面に対向する対向面が備えられ、収納袋と記録媒体が取り付けられた支持片は、被取付面と対向面との間に挟み込まれることを特徴とする記録媒体ホルダーの使用方法。
【請求項３】
請求項２記載の記録媒体ホルダーの使用方法において、収納袋の少なくとも一面は透明または半透明であり、窓部から記録媒体が視認できるよう支持片が収納袋と記録媒体との間に挟入されることを特徴とする記録媒体ホルダーの使用方法。
【請求項４】
請求項３記載の記録媒体ホルダーの使用方法において、記録媒体は印刷面を有し、この印刷面が窓部から視認されることを特徴とする記録媒体ホルダーの使用方法。
【請求項５】
請求項３または４に記載の記録媒体ホルダーの使用方法において、被取付面と対向面は、本体を折り畳んで形成されることを特徴とする記録媒体ホルダーの使用方法。
【請求項６】
請求項１から５のいずれかに記載の記録媒体ホルダーの使用方法において、支持片には、カード形の記録媒体が取り付けられることを特徴とする記録媒体ホルダーの使用方法。
【発明の詳細な説明】
【０００１】
【発明の属する技術分野】
本発明は、記録媒体を取り付けるための記録媒体ホルダーと、この記録媒体ホルダーを郵送用に適応させた記録媒体郵送体とに係る技術分野に属する。
【０００２】
【従来の技術】
近年、さまざまな情報が書き込まれた記録媒体、例えば磁気カード、ＲＯＭカード、プリペイドカード、ＣＤ、ＭＤ、ＦＤ等が、簡単な贈答用や販売促進用に、安価または無償で配布されることが多くなっている。そのため、このような配布の場合では、大量に重ねられたり、簡易に陳列されたり、郵送されたりすることが多い。それ故、記録媒体を樹脂ケース等に収納していてはコストも高く嵩張るため、より簡易な構造で、安価にかつ軽量、薄型に収納することが要望されていた。
【０００３】
従来、記録媒体ホルダーとしては、例えば、特開平１０−１０１１７０号公報に記載のものが知られている。
【０００４】
この従来の記録媒体ホルダーは、２つ折りの本体と、この一方面の端部から突設して連接されたシート状の支持片を備えている。そして、支持片を記録媒体が収納された収納袋に差し込み、２つ折りの本体の間に折り返して挟持させる構造が開示されている。この構造は、冊子への綴じ込みを指向するものであるため、厚紙で作成することを前提としている。
【０００５】
【発明が解決しようとする課題】
前述の従来の記録媒体ホルダーでは、突設した支持片が折り返されて収納袋に差し込まれているため、支持片が連接の境目を中心に自在に開閉する。この構造をより軽量、薄型に形成するため、厚紙に比較して薄い紙で形成しようとすると、支持片に対する記録媒体の重みの比率が高くなる。そのため、２つ折りの本体を僅かに開いたり傾けたりすると、記録媒体の重みで支持片が回動し連接の境目を中心に外側に開くため、収納袋や記録媒体の位置ずれや脱落を生じ易いという問題点がある。
【０００６】
また、前述した支持片の開閉に伴って、連接の境目の線に負荷が係るため、支持片の根元で破断、捻れ等が生じ易く取付強度も低いという問題点がある。
【０００７】
また、販売促進用や贈答用の場合、記録媒体もしくは収納袋にも特徴的な印刷が施されることが多い。しかし、前述の従来の構造では、本体にあらかじめ窓を開口しておかないと、前記印刷を視認することができないため、窓の開口のために加工コストが付加される。また、支持片が本体に突設されている分、紙材の取り分を多く必要とし、材料コストも高くなる。そのため、製造コストを低減させるためにもさらなる改良の余地があった。
【０００８】
本発明は、このような問題点を考慮してなされたもので、記録媒体の取付強度が高く製造コストの安価な記録媒体ホルダーと、この記録媒体ホルダーを郵送用に適応させた記録媒体郵送体とを提供することを課題とする。
【０００９】
【課題を解決するための手段】
前述の課題を解決するため、本発明に係る記録媒体ホルダーの使用方法は、次のような手段を採用する。
【００１０】
すなわち、請求項１では、シート状の被取付面を有する本体と、被取付面に片持梁形状に切り込み形成される支持片と、支持片の引き起こしにより被取付面に形成される窓部とが備えられ、支持片が記録媒体と略々同一形状であるホルダーに対して、開口部を有し内部に記録媒体が収納された扁平系の収納袋に前記支持片を挟入することにより、記録媒体を支持片に取り付け、記録媒体をその略々全体が窓部から表出するように窓部のきわに収納袋を介して填め込んで係止する。
【００１１】
この手段では、収納袋が取り付けられた支持片は、窓部より外形が大きくなるため、支持片が窓部から外側に飛び出すことがない。また、記録媒体は収納袋を介して略々全体が窓部から表出しつつ窓部のきわに填め込まれて係止されるため、位置ずれが防止され、確実に保持される。
【００１２】
また、支持片が片持梁形状のまま折り曲げられることなく記録媒体と収納袋との間に挟入されるため、取り付け時に支持片の根元へ負荷がかからない。さらに、挟入された支持片の記録媒体と収納袋に対する保持力が向上されるとともに、最大幅寸法が確保されれば、それ以外の支持片の形状は任意に選択される。加えて、記録媒体は収納袋に着脱自在ではあるが、嵌挿される程度の少ない隙間しかないため、この収納袋と記録媒体との間に支持片が挟入されると、支持片と記録媒体と収納袋の密着性が高められる。
【００１３】
また、窓部は支持片の切り込み形成と同時に加工されるため、窓部のみを別個に加工工作する必要がない。
【００１４】
さらに、支持片に取り付けられた記録媒体あるいは収納袋の略々全体が、窓部から視認される。
【００１５】
また、請求項２では、請求項１に記載の記録媒体ホルダーの使用方法において、本体には、被取付面に対向する対向面が備えられ、収納袋と記録媒体が取り付けられた支持片は、被取付面と対向面との間に挟み込まれることを特徴とする。
【００１６】
この手段では、支持片に取り付けられた記録媒体および収納袋の位置ずれ防止に確実性が備えられる。
【００１７】
また、請求項３では、請求項２記載の記録媒体ホルダーの使用方法において、収納袋の少なくとも一面は透明または半透明であり、窓部から記録媒体が視認できるよう支持片が収納袋と記録媒体との間に挟入されることを特徴とする。
【００１８】
この手段では、本体に記録媒体が取り付けられていることが、収納袋を介して窓部から視認される。
【００１９】
また、請求項４では、請求項３記載の記録媒体ホルダーの使用方法において、記録媒体は印刷面を有し、この印刷面が窓部から視認されることを特徴とする。
【００２０】
この手段では、記録媒体の印刷面が視認されるため、記録媒体の印刷の表示効果が向上される。
【００２１】
また、請求項５では、請求項２から４のいずれかに記載の記録媒体ホルダーの使用方法において、被取付面と対向面は、本体を折り畳んで形成されることを特徴とする。
【００２２】
この手段では、安価にかつ簡便に被取付面と対向面が形成される。
【００２３】
また、請求項６では、請求項１から５のいずれかに記載の記録媒体ホルダーの使用方法において、支持片には、カード形の記録媒体が取り付けられることを特徴とする。
【００２４】
この手段では、カード形の多様な記録媒体の取付が可能となる。
【００２５】
【発明の実施の形態】
以下、本発明に係る記録媒体ホルダーおよび記録媒体郵送体の実施の形態を図面に基づいて説明する。
【００２６】
本発明に係る記録媒体ホルダーの実施の形態（１）を図面に基づいて説明する。図１は取付前状態の斜視図、図２は図１の取付後状態の斜視図。図３は図２の最終的使用状態の斜視図、図４は図３のＸ−Ｘ線拡大断面図、図５〜図８は実施の形態（１）の変形例である。
【００２７】
実施の形態（１）の記録媒体ホルダー１００は、開口部２３を有する扁平形の収納袋２に着脱自在に嵌挿された記録媒体１を取り付けるためのホルダーであって、シート状の被取付面３１を有する本体３と、被取付面３１に片持梁形状に切り込み形成され収納袋２と記録媒体１との間に挟入される支持片４と、支持片４の引き起こしにより被取付面３１に形成される窓部６とが備えられる。
【００２８】
この実施の形態（１）では、宣伝用の販売促進パンフレットとして構成されるものを示している。
【００２９】
記録媒体１は、長方形のカード形を呈し、プリペイドカードのようなものからなる。表面１１には、記録内容の表記や宣伝用のイラスト等の図柄１２が印刷されている。裏面１３には、磁気記録等の記録層が設けられている。
【００３０】
収納袋２は、その内側に記録媒体１が着脱自在に嵌挿される形状を有している。すなわち、収納袋２は記録媒体１より僅かに大きい程度の大きさを有している。具体的には、記録媒体１と略々相似形の長方形で、扁平形の袋状を呈している。この収納袋２は透明または半透明の２枚のシート２１、２２を重ねて周縁部２４を固着（接着または溶着）することにより、記録媒体１の全体を収納可能な扁平形に形成されている。シート２１、２２の短手辺の１つは、固着されずに記録媒体１が出し入れされる開口部２３となっている。開口部２３におけるシート２１、２２の端部２１１、２１２は、図４、図５に示すように、外側への突出長を異ならせている。シート２１、２２の素材は、合成樹脂等が適している。なお、本体３の紙材の厚みは、比較的薄く、１８０ｇ／ｍ2〜２８０ｇ／ｍ2程度のものが好適で、白板紙等が適用される。また、記録媒体１を視認させる必要のない場合には、シート２１、２２の一方または両方が透明または半透明でなくてもよく、その場合には不織布等を素材としてもよい。
【００３１】
本体３は、シート状の被取付面３１と同じくシート状の対向面３２を有し、これらは１枚のシートを２つ折りして形成されている。本体３は紙材からなり、被取付面３１の外側面３１１、内側面３１２、及び対向面３２の外側面３２１、内側面３２２はいずれも印刷や書き込みが可能である。ここでは外側面３１１に、図３に示すように宣伝用の図柄３３が印刷され、内側面３２２に、図１、図２に示すように、解説文３４が印刷されている。なお、本体３の素材は、印刷可能であれば紙材に限定されない。また、被取付面３１と対向面３２は、本体を３つ折り以上に畳んで形成してもよい。なお、折り畳みの境界線には、スジ押し等が施されていることが望ましい。
【００３２】
支持片４は、本体３に片持梁形状に切り込み形成されている。本体３の支持片４を形成する切込線５は、Ｕ字形の線部５１と、線部５１の端末に設けられた小孔形の抜孔部５２とを有している。線部５１は、記録媒体１と略々同一形状の長方形の１つの短辺と２つの長辺とからなる形状に形成されている。そして、この支持片４の根元部４１を支点に片持梁形状を引き起こすことにより被取付面３１に窓部６が形成される。なお、実施の形態（１）では、支持片４と窓部６が同一の切込線５により形成される例を示している。これにより支持片４の最大幅寸法Ｗ１は、記録媒体１の幅寸法Ｗ２に略々一致し、支持片４を挟入した際に、収納袋２内でがたつくことが防止される。なお、取付面３１に対する支持片４の形成位置は、図１に限定されない。
【００３３】
この実施の形態によると、図１〜図３に示す手順で記録媒体１が本体３に取り付けられる。まず、収納袋２に開口部２３から記録媒体１の一部または全部を嵌挿し収納する（図１参照）。次ぎに、本体３から支持片４を引き起こし、収納袋２に開口部２３から記録媒体１の裏面１３と収納袋２の記録媒体１の裏面１３側のシート２２との間に支持片４を挟入し、支持片４への記録媒体１及び収納袋２の取り付けを完了する（図２参照）。そして、本体３の被取付面３１と対向面３２を折畳んで、記録媒体１と収納袋２を取り付けた支持片４を挟込む（図３参照）。
【００３４】
なお、記録媒体１の収納袋２への収納では、開口部２３のシート２１、２２の突出長の相違により収納袋２を開口させ易いため、記録媒体１を収納袋２に容易に滑り込ませることが可能となる。この点については、記録媒体１の収納袋２からの取出しについても同様である。また、支持片４の本体３から引き起こしでは、切込線５の抜孔部５２が引き起こしの捻れ応力を吸収するため、切込線５の線部５１の端末（根元部４１の両脇）から本体３、支持片４が折曲がったり破断したりすることがない。
【００３５】
図３に示すように、記録媒体１が本体３に取り付けられると、収納袋２を介して記録媒体１の略々全体が窓部６から表出し、外部から図柄１２が視認できる。従って、本体３を展開しなくても、記録媒体３が取り付けられていることが識別できるだけでなく、図柄１２が見られることで、記録媒体１の読取りを実行しなくても記録内容の概略等を知ることができる。さらに、被取付面３１の外側面３１１に施された図柄３３と記録媒体１の図柄１２が一体的に表現されていると、表示効果や宣伝効果が向上される。
【００３６】
また、前述の従来例のように記録媒体１や収納袋２を視認するための窓部６をわざわざ本体３に開口しなくても、支持片４の形成と同時に窓部６も形成できるため、窓部６の開口のための加工コストが不要である。また、支持片４は本体３の領域に形成されるため、支持片４の形成のための材料コストが不要である。これらにより製造コストが安価になる。
【００３７】
また、収納袋２が取り付けられた支持片４は、窓部６より外形が大きくなるため、被取付面３１と対向面３２との間に挟まれた図３の状態では、支持片４が窓部６から外側に飛び出すことが不可能となり、挟み込まれた状態が安定して維持される。また、記録媒体１は、収納袋２を介して窓部６に填め込まれるように係止するため、さらに位置ずれが防止され、確実に保持される
【００３８】
さらに、記録媒体１は、支持片４の片持梁形状の方向にそのまま取り付けられているため、被取付面３１と対向面３２の折り畳みを開いたり傾けたりしても、記録媒体１の重みで支持片４が回動して反対側に折れて開くこともなく、記録媒体１や収納袋２の位置ずれや脱落を抑制できる。
【００３９】
なお、この実施の形態（１）では、図５に示すように、記録媒体１の表面１１、裏面１３を逆にして収納袋に収納し、支持片４を窓部６側に位置させる使用態様を採ることもできる。
【００４０】
この使用態様によると、窓部６からは収納袋２のみが視認され、記録媒体１を視認することができない。これにより、本体３の展開前に記録媒体１の記録内容の概略等を秘匿することができるとともに、記録媒体１の両面が紙材で覆われるため保護性が向上される。また、支持片４の外側面３１１側に適切な表示を記載し、収納袋２の透明または半透明のシート２１から透視させることもできる。
【００４１】
また、支持片４及び窓部６の形状は、図１に示される形状に限定されるのものではなく、例えば図６に示されるように、窓部６のみ記録媒体１と略々同一形状とし、支持片４を窓部６の領域内で任意の形状としてもよい。このとき、支持片４の最大幅寸法Ｗ１のみは、記録媒体１の幅寸法Ｗ２と略々同一にしておくことが脱落防止のために望ましい。またこの他に図７に示されるように、ディスク形の記録媒体１を取り付けるために支持片４を片持梁の略々円形状に形成してもよい。あるいは、図８に示されるように、支持片４及び窓部６を記録媒体１より小さく形成し、記録媒体１の一部のみを窓部６から表出させるように構成してもよい。
【００４２】
次に、本発明に係る記録媒体ホルダーの実施の形態（２）を図面を用いて説明する。図９は実施の形態（２）を示す要部の平面図である。
【００４３】
実施の形態（２）の記録媒体ホルダー１００では、本体３の被取付面３１と対向面３２にそれぞれ互違いに支持片４を設け、双方に被取付面と対向面の両機能を備えさせている。
【００４４】
この実施の形態によると、記録媒体１と収納袋２が取り付けられた支持片４に対する本体３による挟み込みを維持しながら、複数枚の記録媒体１を本体３に取り付けることができる。その他の作用、効果は実施の形態（１）と同様である。
【００４５】
次に、本発明に係る記録媒体ホルダーの実施の形態（３）を図面を用いて説明する。図１０は実施の形態（３）を示す要部の斜視図である。
【００４６】
実施の形態（３）の記録媒体ホルダー１００では、支持片４を本体３の長さ方向と一致させて形成している。
【００４７】
この実施の形態によると、記録媒体１を支持片４に取り付けた状態で、被取付面３１と対向面３２を山形に折り畳んで立てて陳列する場合に好適となる。その他の作用、効果は実施の形態（１）と同様である。
【００４８】
次に、本発明に係る記録媒体ホルダーの実施の形態（４）を図面を用いて説明する。図１１は実施の形態（４）を示す斜視図である。
【００４９】
実施の形態（４）の記録媒体ホルダー１００では、本体３が冊子形からなり、冊子の表紙を利用して支持片４が切り込み形成されている。この場合には、対向面３２は被取付面３１と初めは別体で形成され、綴じ込み等により被取付面３１と対向するように設けられている。
【００５０】
この実施の形態によると、記録媒体１が取り付けられる本体３に記載される情報の量、あるいは本体３の形態の種類を増加させることができる。その他の作用、効果は実施の形態（１）と同様である。
【００５１】
上述してきた実施の形態（１）〜（４）の記録媒体ホルダー１００の用途としては、前述した宣伝用の販売促進用のパンフレット以外に、慶弔用や挨拶用のグリーティングカード等にも好適である。
【００５２】
また、本発明の記録媒体ホルダー１００に、取り付けられる記録媒体１としては、磁気カード、ＲＯＭカード、プリペイドカード（テレフォンカード、イオカード他）等のカード形の記録媒体１が比較的薄く軽量であるため好適であるが、この形に限定されない。他には、ＭＤやＦＤ等に矩形のものに適用したり、あるいはＣＤやＤＶＤ等のディスク形のものに適用しても良い。
【００５３】
また以上図示した実施の形態の外に、冊子の内部への綴込み等に適応させることも可能である。
【００５４】
さらに、本体３の対向面３２を省略し、取付面３１のみの１枚の台紙として形成してもよい。
【００５５】
次に本発明の記録媒体郵送体の実施の形態（１）を図面に基づいて説明する。図１２は実施の形態（１）の平面図、図１３は図１２の要部の拡大断面図である。
【００５６】
実施の形態（１）の記録媒体郵送体２００では、前述の本発明に係る記録媒体ホルダーの実施の形態を郵送等の送付に適応させたものである。すなわち、本体３の折り畳まれた最終的な外形がハガキサイズに形成されているとともに、本体３に郵便番号、宛先人住所、宛先人名等の宛先情報７の記載領域３５が設けられている。この実施の形態では、記載領域３５は支持片４が切り込み形成されている領域を避けて設けられている。
【００５７】
また、窓部６に臨む記録媒体１の図柄１２あるいは支持片４に郵便番号、差出人住所、差出人名等の差出情報８が記載されている。もちろん差出情報８は、これ以外の部位に記載してもよい。
【００５８】
また、本体３の外側の全体が包装材９で包まれている。この包装材９は透明もしくは半透明のフィルム（例えば合成樹脂製）からなっている。これにより、郵送時の記録媒体１の脱落が完全に防止される。そのため、この実施の形態（１）では、本体３の対向面３２を省略し、郵送時に包装材９の一面を対向面３２として機能させてもよい。
【００５９】
この実施の形態によると、宛先情報７を記載することで、そのまま郵送することができる。
【００６０】
なお、本体３の全体のサイズは、ハガキサイズに限定されず定形外のサイズであってもよい。
【００６１】
また、宛先情報７を支持片４に差出情報８を記載領域３５に記載してもよい。
【００６２】
さらに、対向面３２に返信用のハガキをあらかじめ印刷しておき、被取付面３１と対向面３２との間を切り離して、記録媒体１の配布の後のアンケートや申し込み等の返信を受けられるように構成してもよい。
【００６３】
次に、本発明に係る記録媒体郵送体の実施の形態（２）を図面に基づいて説明する。図１４は実施の形態（２）を示す平面図、図１５は図１４の要部の拡大断面図である。
【００６４】
実施の形態（２）の記録媒体郵送体２００では、前述の実施の形態（１）の包装材９を省略して、本体３を折り畳んだ状態の被取付面３１と対向面３２との間の３辺に固着部１０（接着等による）を設け固着している。
【００６５】
この実施の形態によると、本体３を１枚の台紙とすることができるため、我国の現行の郵便事業制度の下で私製ハガキの扱いを受けることができる。
【００６６】
【発明の効果】
以上のように、本発明に係る記録媒体ホルダーの使用方法では、収納袋が取り付けられた支持片は、窓部から外側に飛び出すことがない。また、記録媒体は収納袋を介して略々全体が窓部から表出しつつ窓部のきわに填め込まれるように係止するため、位置ずれが防止され、確実に保持される。
【００６７】
また、本体に切り込み形成された支持片に、記録媒体と収納袋を取り付けるため、取付強度が高くなる効果がある。
【００６８】
また、支持片が本体の内部に切込み形成されて、窓部も同時に加工工作されるため、製造コストが安価になる効果がある。
【図面の簡単な説明】
【図１】 本発明に係る記録媒体ホルダーの実施の形態（１）を示す取付前状態の斜視図である。
【図２】 図１の取付後状態の斜視図である。
【図３】 図２の最終的使用状態の斜視図である。
【図４】 図３のＸ−Ｘ線拡大断面図である。
【図５】 実施の形態（１）の変形例の断面図である。
【図６】 実施の形態（１）の変形例の平面図である。
【図７】 実施の形態（１）の変形例の平面図である。
【図８】 実施の形態（１）の変形例の平面図である。
【図９】 本発明に係る記録媒体ホルダーの実施の形態（２）を示す要部の平面図である。
【図１０】 本発明に係る記録媒体ホルダーの実施の形態（３）を示す要部の斜視図である。
【図１１】 本発明に係る記録媒体ホルダーの実施の形態（４）を示す斜視図である。
【図１２】 本発明に係る記録媒体郵送体の実施の形態（１）を示す平面図である。
【図１３】 図９の要部の拡大断面図である。
【図１４】 本発明に係る記録媒体郵送体の実施の形態（２）を示す平面図である。
【図１５】 図１１の要部の拡大断面図である。
【符号の説明】
１ 記録媒体
１１ 表面
１２ 図柄
１３ 裏面
２ 収納袋
２１、２２ シート
２１１、２１２ 端部
２３ 開口部
２４ 周縁部
３ 本体
３１ 被取付面
３１１ 外側面
３１２ 内側面
３２ 対向面
３２１ 外側面
３２２ 内側面
３３ 図柄
３４ 解説文
３５ 記載領域
４ 支持片
４１ 根元部
５ 切込線
５１ 線部
５２ 抜穴部
６ 窓部
７ 宛先情報
８ 差出情報
９ 包装材
１０ 固着部
１００ 記録媒体ホルダー
２００ 記録媒体郵送構造
【図１】
0003683820.tif 000002
【図２】
0003683820.tif 000003
【図３】
0003683820.tif 000004
【図４】
0003683820.tif 000005
【図５】
0003683820.tif 000006
【図６】
0003683820.tif 000007
【図７】
0003683820.tif 000008
【図８】
0003683820.tif 000009
【図９】
0003683820.tif 000010
【図１０】
0003683820.tif 000011
【図１１】
0003683820.tif 000012
【図１２】
0003683820.tif 000013
【図１３】
0003683820.tif 000014
【図１４】
0003683820.tif 000015
【図１５】
0003683820.tif 000016